(57)【要約】【課題】小型、軽量、安価であり、強い振動が得られると共に耐久性に優れ、かつ温熱が得られる。【解決手段】筐体１、２の内部には、リング状のマグネット３と、マグネット３に挿入される軸芯部６を有するＴ字形状の磁性体よりなり、マグネット３の上面に固定されたトッププレート５と、トッププレート５の軸芯部６に空間を形成するようにマグネット３の下面に固定されたボトムプレート８と、トッププレート５の軸芯部６とボトムプレート８の空間に配設されたコイル９とを備えている。マグネット３は、筐体１にバネ４を介して固定され、コイル９の端部は筐体２に固定されており、コイル９には、ＡＣ電源の電圧を低電圧及び低電流に変圧するＡＣ／ＡＣ変圧器１１が接続されている。【選択図】      図１
0003152063.tif 000002
【実用新案登録請求の範囲】
【請求項１】
筐体の内部には、リング状のマグネットと、このマグネットに挿入される軸芯部を有するＴ字形状の磁性体よりなり、マグネットの上面に固定されたトッププレートと、前記トッププレートの軸芯部に空間を形成するように前記マグネットの下面に固定されたボトムプレートと、前記トッププレートの軸芯部と前記ボトムプレートの空間に配設されたコイルとを備えたマッサージ器において、前記マグネットは、前記筐体にバネを介して固定され、前記コイルの端部は前記筐体に固定されており、前記コイルには、ＡＣ電源の電圧を低電圧及び低電流に変圧するＡＣ／ＡＣ変圧器が接続されていることを特徴とするマッサージ器。
【請求項２】
前記ＡＣ／ＡＣ変圧器は、ＡＣ電源の周波数と同じ周波数で、５〜１０Ｖの電圧及び５００〜１，０００ｍＡの電流に変換するようになっていることを特徴とする請求項１記載のマッサージ器。
【考案の詳細な説明】
【技術分野】
【０００１】
本考案はマッサージ器に関する。
【背景技術】
【０００２】
マッサージ器として、例えば特許文献１が挙げられる。この構造は図２に示すように、ヨーク２０には永久磁石２１を介してポール２２が固定されており、ヨーク２０とポール２２の空隙２３にはコイル２４が巻回されたコイルボビン２５が嵌挿されている。コイルボビン２５は、上下振動できるように柔軟な保持部材２６によって保持されており、コイル２４にはリード線２７によって電流が供給される。またコイルボビン２５にはキャビティ２８が固定されている。コイル２４に電流を供給すると、永久磁石２１とコイル２４との磁気作用により、コイルボビン２５及びキャビティ２８が振動する。そこで、キャビティ２８を人体のマッサージ部分に押し当てることにより、マッサージすることができる。
【０００３】
またマッサージ器として、例えば特許文献２が挙げられる。この構造は、振動発生部の他に温熱を得るために熱発生部を有している。振動発生部は振動モータを使用し、熱発生部は低温発熱体である熱線又は熱板、高温発熱体である遠赤外線ランプ、ハロゲンランプ及びセラミックヒータを使用している。
【先行技術文献】
【特許文献】
【０００４】
【特許文献１】特開２００５−２３７５４４号公報
【特許文献２】特開２００６−５１７１１６号公報
【考案の概要】
【考案が解決しようとする課題】
【０００５】
特許文献１は、小型、軽量、安価であるという特徴を有するが、コイルが振動するので強い振動が得られないと共に、耐久性に問題があった。またこの構造では温熱を得ることができない。
【０００６】
特許文献２は、モータによって振動を得るので、強力な振動を得ることができるが、大型で重量が増すと共に高価になる。また振動発生部の他に熱発生部を必要とする。
【０００７】
本考案の課題は、小型、軽量、安価であり、強い振動が得られると共に耐久性に優れ、かつ温熱が得られるマッサージ器を提供することにある。
【課題を解決するための手段】
【０００８】
上記課題を解決するための本考案の請求項１は、筐体の内部には、リング状のマグネットと、このマグネットに挿入される軸芯部を有するＴ字形状の磁性体よりなり、マグネットの上面に固定されたトッププレートと、前記トッププレートの軸芯部に空間を形成するように前記マグネットの下面に固定されたボトムプレートと、前記トッププレートの軸芯部と前記ボトムプレートの空間に配設されたコイルとを備えたマッサージ器において、前記マグネットは、前記筐体にバネを介して固定され、前記コイルの端部は前記筐体に固定されており、前記コイルには、ＡＣ電源の電圧を低電圧及び低電流に変圧するＡＣ／ＡＣ変圧器が接続されている。
【０００９】
上記課題を解決するための本考案の請求項２は、請求項１において、前記ＡＣ／ＡＣ変圧器は、ＡＣ電源の周波数と同じ周波数で、５〜１０Ｖの電圧及び５００〜１，０００ｍＡの電流に変換するようになっていることを特徴とする。
【考案の効果】
【００１０】
構成部材は引用文献１と同じであるので、引用文献１と同様に小型、軽量で安価な製品が得られる。しかし、引用文献１と異なり、マグネット、トッププレート及びボトムプレートの重量物が上下動するので、強い振動が得られると共に、耐久性に優れている。またコイルに電流が流れることにより、機器の外部温度として、前記した５０Ｈｚ又は６０Ｈｚの周波数で、５〜１０Ｖの電圧及び５００〜１，０００ｍＡの電流によって、約２０〜４５°Ｃの温度が得られる。
【図面の簡単な説明】
【００１１】
【図１】本考案のマッサージ器の一実施の形態を示す断面図である。
【図２】従来のマッサージ器を示す断面面図である。
【考案を実施するための形態】
【００１２】
本考案のマッサージ器の一実施の形態を図１により説明する。プラスチックよりなる上カバー１と非磁性体よりなる下カバー２とは、図示しないねじによって固定され、筐体を構成している。上カバー１と下カバー２との内部には、リング状のマグネット３が配設されており、マグネット３はバネ４を介して上カバー１に固定されている。マグネット３には、磁性体よりなるＴ字形状のトッププレート５の軸芯部６が挿入され、上方部７の下面がマグネット３に固定されている。マグネット３の下面には、トッププレート５の軸芯部６に空間を形成するように磁性体よりなるボトムプレート８が固定されている。トッププレート５の軸芯部６とボトムプレート８との空間には、下カバー２に固定された筒状に巻回されたコイル９の端部が配設されている。
【００１３】
コイル９は、家庭用の１００Ｖ、５０Ｈｚ（関東地域）又は６０Ｈｚ（関西地域）のＡＣ電源に接続されるプラグ１０よりＡＣ／ＡＣ変圧器１１より変換された電圧、電流及び周波数が供給される。ＡＣ／ＡＣ変圧器１１は、家庭用の１００Ｖ、５０Ｈｚ又は６０Ｈｚと同じ周波数で、５〜１０Ｖの電圧及び５００〜１，０００ｍＡの電流に変換するようになっている。コイル９に電流を供給すると、マグネット３とコイル９との磁気作用により、マグネット３、トッププレート５及びボトムプレート８が一体となって振動する。この振動が上カバー１に伝達される。
【００１４】
このように、構成部材は引用文献１と同じであるので、引用文献１と同様に小型、軽量で安価な製品が得られる。しかし、引用文献１と異なり、マグネット３、トッププレート５及びボトムプレート８の重量物が上下動するので、強い振動が得られると共に、耐久性に優れている。またコイル９に電流が流れることにより、機器の外部温度として、前記した５０Ｈｚ又は６０Ｈｚの周波数で、５〜１０Ｖの電圧及び５００〜１，０００ｍＡの電流によって、約２０〜４５°Ｃの温度が得られる。
【符号の説明】
【００１５】
１    上カバー
２    下カバー
３    マグネット
４    バネ
５    トッププレート
６    軸芯部
８    ボトムプレート
９    コイル
１０    ＡＣ／ＡＣ変圧器
【図１】
0003152063.tif 000003
【図２】
0003152063.tif 000004
【手続補正書】
【提出日】平成21年5月25日(2009.5.25)
【手続補正１】
【補正対象書類名】明細書
【補正対象項目名】００１５
【補正方法】変更
【補正の内容】
【００１５】
１    上カバー
２    下カバー
３    マグネット
４    バネ
５    トッププレート
６    軸芯部
８    ボトムプレート
９    コイル
１１    ＡＣ／ＡＣ変圧器